(57)【要約】【課題】生体情報が登録されている権限者が不在の場合や、権限者が急な退職等でいなくなり新たな権限者が決まらない場合等に、金庫利用に関連する作業や業務の流れに支障が生ずることを防止できると共に、生体認証による解錠のセキュリティレベルを維持することができる。【解決手段】金庫２０側において、解錠権限を有する権限者の基本情報と生体情報を記憶し、解錠者の生体情報を取得し、記憶された生体情報と解錠者の生体情報とを照合して解錠者を権限者として認証し、解錠者が権限者として認証された場合に解錠機構２６に解錠指令を出力し、解錠指令に応じて解錠機構２６が金庫２０の所定箇所を解錠すると共に、金庫２０と通信可能に設けられる金庫管理装置１０側において、入力に応じて解錠機構２６に対する解錠指令を金庫２０に送信する金庫管理方法。【選択図】図５
2014211030.tif 000002
【特許請求の範囲】
【請求項１】
金庫側において、
解錠権限を有する権限者の基本情報と生体情報を記憶し、
解錠者の生体情報を取得し、
記憶された生体情報と解錠者の生体情報とを照合して解錠者を権限者として認証し、
解錠者が権限者として認証された場合に解錠機構に解錠指令を出力し、
解錠指令に応じて解錠機構が金庫の所定箇所を解錠すると共に、
前記金庫と通信可能に設けられる金庫管理装置側において、
入力に応じて前記解錠機構に対する解錠指令を前記金庫に送信する
ことを特徴とする金庫管理方法。
【請求項２】
前記金庫側において、
解錠権限を有する権限者に対応する解錠権限箇所を記憶し、
解錠者が権限者として認証された場合に、前記権限者に対応する解錠権限箇所の前記解錠機構に解錠指令を出力すると共に、
前記金庫管理装置側において、
入力に応じて所要箇所の前記解錠機構に対する解錠指令を前記金庫に送信する
ことを特徴とする請求項１記載の金庫管理方法。
【請求項３】
前記金庫側において、
前記金庫が解錠状態であることを条件に、入力に応じて権限者の基本情報と登録許可要求を前記金庫管理装置に送信し、
前記金庫管理装置から受信する登録許可に応じて、権限者に出力して生体情報を取得させるように促し、取得した生体情報を入力された権限者と対応させて記憶させると共に、
前記金庫管理装置側において、
前記金庫から受信する権限者の基本情報と登録許可要求を表示して登録許可を促し、入力に応じて登録許可を前記金庫に送信する
ことを特徴とする請求項１又は２記載の金庫管理方法。
【請求項４】
前記金庫側において、
前記金庫が解錠状態であることを条件に、削除入力に応じて、記憶している権限者の基本情報と権限者の生体情報を削除する
ことを特徴とする請求項１〜３の何れかに記載の金庫管理方法。
【請求項５】
前記金庫側において、
入力に応じて前記金庫管理装置に非常事態情報を送信すると共に、
前記金庫管理装置側において、
受信した非常事態情報を報知する
ことを特徴とする請求項１〜４の何れかに記載の金庫管理方法。
【請求項６】
前記金庫側において、
開閉状態を認識し、
開閉の履歴を記憶すると共に、
前記金庫管理装置側において、
前記金庫で認識された開閉状態をリアルタイムで取得して表示可能にし、
前記金庫の開閉履歴を取得して記憶する
ことを特徴とする請求項１〜５の何れかに記載の金庫管理方法。
【請求項７】
解錠指令に応じて所定箇所を解錠する解錠機構と、
解錠権限を有する権限者の基本情報を記憶する権限者基本情報記憶部と、
前記権限者の生体情報を記憶する生体情報記憶部と、
解錠者の生体情報を取得する生体情報取得部と、
前記生体情報取得部による生体情報の取得動作を制御する生体情報取得制御部と、
記憶された生体情報と解錠者の生体情報とを照合して解錠者を権限者として認証する認証部と、
解錠者が権限者として認証された場合に前記解錠機構に解錠指令を出力する解錠指令出力部を備え、
通信可能に設けられる金庫管理装置から、前記解錠機構に対する解錠指令を受信可能であり、
前記解錠指令出力部が、前記金庫管理装置から受信した前記解錠指令を解錠機構に出力する
ことを特徴とする金庫。
【請求項８】
解錠権限を有する権限者に対応する解錠権限箇所を記憶する権限者基本情報記憶部と、
解錠者が権限者として認証された場合に、前記権限者に対応する解錠権限箇所の解錠機構に解錠指令を出力する解錠指令出力部を備え、
通信可能に設けられる前記金庫管理装置から、所要箇所の前記解錠機構に対する解錠指令を受信可能であり、
前記解錠指令出力部が、前記金庫管理装置から受信した所要箇所の前記解錠指令を解錠機構に出力する
ことを特徴とする請求項７記載の金庫。
【請求項９】
金庫内部に設置される情報出力部と、
金庫内部に設置される操作部と、
前記操作部からの入力に応じて、前記操作部から入力された権限者の基本情報と登録許可要求を前記金庫管理装置に送信するように制御する登録許可要求処理部と、
前記金庫管理装置から受信する登録許可に応じて、前記情報出力部で出力させて前記生体情報取得部に生体情報を取得させるように促し、前記生体情報取得部で取得した生体情報を前記操作部から入力された権限者と対応させて前記生体情報記憶部に記憶させる生体情報登録処理部を備える
ことを特徴とする請求項７又は８記載の金庫。
【請求項１０】
金庫内部に設置される情報出力部と、
金庫内部に設置される操作部と、
前記操作部からの削除入力に応じて、権限者基本情報記憶部と生体情報記憶部から読み出して前記情報出力部で出力される権限者の基本情報と権限者の生体情報を削除する生体情報削除処理部を備える
ことを特徴とする請求項７〜９の何れかに記載の金庫。
【請求項１１】
前記金庫の前記生体情報取得部の近辺に、前記金庫から前記金庫管理装置に非常事態情報を送信する送信入力が行われる非常入力部が設けられることを特徴とする請求項７〜１０の何れかに記載の金庫。
【請求項１２】
開閉状態を認識し、認識した開閉状態を前記金庫管理装置にリアルタイムで送信するように制御し、認識した開閉状態を記憶させる開閉状態認識処理部と、
開閉状態の履歴を記憶する開閉履歴記憶部を備える
ことを特徴とする請求項７〜１１の何れかに記載の金庫。
【請求項１３】
解錠指令に応じて所定箇所を解錠する解錠機構と、
解錠権限を有する権限者の基本情報を記憶する権限者基本情報記憶部と、
前記権限者の生体情報を記憶する生体情報記憶部と、
解錠者の生体情報を取得する生体情報取得部と、
前記生体情報取得部による生体情報の取得動作を制御する生体情報取得制御部と、
記憶された生体情報と解錠者の生体情報とを照合して解錠者を権限者として認証する認証部と、
解錠者が権限者として認証された場合に解錠機構に解錠指令を出力し、且つ受信した解錠指令を解錠機構に出力する解錠指令出力部と、
を備える金庫の一若しくは複数と通信可能に設けられる金庫管理装置であって、
入力部と、
前記入力部からの入力に応じて前記解錠機構に対する解錠指令を前記金庫に送信するように制御する解錠指令処理部を備える
ことを特徴とする金庫管理装置。
【請求項１４】
解錠権限を有する権限者に対応する解錠権限箇所を記憶する権限者基本情報記憶部と、解錠者が権限者として認証された場合に、前記権限者に対応する解錠権限箇所の解錠機構に解錠指令を出力し、且つ受信した所要箇所の前記解錠指令を解錠機構に出力する解錠指令出力部を備える前記金庫と通信可能であり、
前記入力部からの入力に応じて所要箇所の前記解錠機構に対する解錠指令を送信するように制御する解錠指令処理部を備える
ことを特徴とする請求項１３記載の金庫管理装置。
【請求項１５】
金庫内部に設置される情報出力部と、金庫内部に設置される操作部と、前記操作部からの入力に応じて、前記操作部から入力された権限者の基本情報と登録許可要求を前記金庫管理装置に送信するように制御する登録許可要求処理部と、登録許可に応じて、前記情報出力部で出力させて前記生体情報取得部に生体情報を取得させるように促し、前記生体情報取得部で取得した生体情報を前記操作部から入力された権限者と対応させて前記生体情報記憶部に記憶させる生体情報登録処理部を備える前記金庫と通信可能であり、
情報表示部と、
前記金庫から受信する権限者の基本情報と登録許可要求を前記情報表示部で表示させて登録許可を促し、前記入力部からの入力に応じて登録許可を前記金庫に送信するように制御する登録許可処理部を備える
ことを特徴とする請求項１３又は１４記載の金庫管理装置。
【請求項１６】
前記金庫から受信する非常事態情報を報知する報知処理部を備える
ことを特徴とする請求項１３〜１５の何れかに記載の金庫管理装置。
【請求項１７】
前記金庫で認識された開閉状態を前記金庫からリアルタイムで受信し、前記開閉状態を前記情報表示部で表示可能にすると共に、前記金庫から受信する開閉状態の履歴を記憶させる開閉状態処理部と、
開閉状態の履歴を記憶する開閉履歴管理記憶部を備える
ことを特徴とする請求項１３〜１６の何れかに記載の金庫管理装置。
【発明の詳細な説明】
【技術分野】
【０００１】
本発明は、生体認証によって解錠する金庫を管理する金庫管理方法、金庫及び金庫管理装置に関する。
【背景技術】
【０００２】
近年、指静脈、掌の静脈、指紋等の生体情報による認証が多様な分野で利用されてきており、高度なセキュリティの確保が要求されるものや場所では生体認証は不可欠な技術となってきている。そして、高度なセキュリティが要求される金庫についても金庫扉の解錠に生体認証が用いられつつある。
【０００３】
例えば特許文献１には、金融機関の金庫室等について、金庫の解錠権限を有する権限者の生体情報を記憶し、解錠者が金庫を解錠する際に解錠者の生体情報を取得し、記憶された生体情報と解錠者の生体情報とを照合して解錠者を認証し、解錠者が認証された場合に金庫の解錠機構に解錠指令を出力することにより、金庫を解錠することが開示されている。
【先行技術文献】
【特許文献】
【０００４】
【特許文献１】特開２０１１−６３９９７号公報
【発明の概要】
【発明が解決しようとする課題】
【０００５】
ところで、生体認証によって金庫を解錠する場合、生体情報が登録されている権限者が不在の場合や、権限者が急な退職等でいなくなり新たな権限者が決まらない場合等に、金庫利用に関連する作業や業務の流れに支障が生ずる。この点について、特許文献１の技術では、生体認証で解錠する生体認証解錠装置とは別に独立して、非常時解錠用のダイヤル式解錠装置を設け、ダイヤル式解錠装置で金庫が解錠された場合には解錠履歴を保存し、保存されたダイヤル式解錠装置の解錠履歴で不正行為を探索可能にすることにより、金庫利用に関連する作業や業務への支障を防止している。
【０００６】
しかしながら、この構成では後から不正行為が探索可能になるものの、非常時解錠用のダイヤル式解錠装置で金庫が解錠可能になるため、金庫解錠に対するセキュリティはダイヤル式解錠装置のレベルまで大幅に低下し、生体認証による解錠のセキュリティレベルを維持することができなくなる。
【０００７】
本発明は上記課題に鑑み提案するものであって、生体情報が登録されている権限者が不在の場合や、権限者が急な退職等でいなくなり新たな権限者が決まらない場合等に、金庫利用に関連する作業や業務の流れに支障が生ずることを防止できると共に、生体認証による解錠のセキュリティレベルを維持することができる金庫管理方法、金庫及び金庫管理装置を提供することを目的とする。
【課題を解決するための手段】
【０００８】
本発明の金庫管理方法は、金庫側において、解錠権限を有する権限者の基本情報と生体情報を記憶し、解錠者の生体情報を取得し、記憶された生体情報と解錠者の生体情報とを照合して解錠者を権限者として認証し、解錠者が権限者として認証された場合に解錠機構に解錠指令を出力し、解錠指令に応じて解錠機構が金庫の所定箇所を解錠すると共に、前記金庫と通信可能に設けられる金庫管理装置側において、入力に応じて前記解錠機構に対する解錠指令を前記金庫に送信することを特徴とする。
この構成によれば、生体情報が登録されている権限者が不在の場合や、権限者が急な退職等でいなくなり新たな権限者が決まらない場合等に、金庫管理装置から金庫の解錠機構に対する解錠指令を送信して金庫を解錠することが可能であるから、金庫利用に関連する作業や業務の流れに支障が生ずることを防止することができる。また、金庫の設置場所では生体認証による解錠以外で解錠することがないことから、生体認証による解錠のセキュリティレベルを維持することができる。
【０００９】
本発明の金庫管理方法は、前記金庫側において、解錠権限を有する権限者に対応する解錠権限箇所を記憶し、解錠者が権限者として認証された場合に、前記権限者に対応する解錠権限箇所の前記解錠機構に解錠指令を出力すると共に、前記金庫管理装置側において、入力に応じて所要箇所の前記解錠機構に対する解錠指令を前記金庫に送信することを特徴とする。
この構成によれば、例えば金庫扉の施錠に加え内部の収納棚等でも施錠される金庫について、権限者毎の権限に応じた解錠権限箇所の解錠を行うことができ、業務や組織に合わせた最適なセキュリティを確保することができる。また、必要な場合に、金庫管理装置から所要箇所の解錠機構に対する解錠指令を送信して金庫の所要箇所を解錠することにより、必要最小限の遠隔解錠でセキュリティをより高めることができる。
【００１０】
本発明の金庫管理方法は、前記金庫側において、前記金庫が解錠状態であることを条件に、入力に応じて権限者の基本情報と登録許可要求を前記金庫管理装置に送信し、前記金庫管理装置から受信する登録許可に応じて、権限者に出力して生体情報を取得させるように促し、取得した生体情報を入力された権限者と対応させて記憶させると共に、前記金庫管理装置側において、前記金庫から受信する権限者の基本情報と登録許可要求を表示して登録許可を促し、入力に応じて登録許可を前記金庫に送信することを特徴とする。
この構成によれば、生体情報の登録に金庫管理装置からの登録許可を必要とすることにより、生体情報の登録管理を安全に行うことができる。また、金庫が解錠状態であることを条件に生体情報の登録処理を行うことにより、生体情報の登録の際に解錠権限を有する権限者が登録対象者を承認して一緒にいること或いは金庫管理装置からの承認が必要になることから、想定していない者の生体情報が登録されることを確実に防止し、所要の生体情報の登録を確実に行うことができる。
【００１１】
本発明の金庫管理方法は、前記金庫側において、前記金庫が解錠状態であることを条件に、削除入力に応じて、記憶している権限者の基本情報と権限者の生体情報を削除することを特徴とする。
この構成によれば、権限者が急な退職等で部外者になった場合に、部外者の生体情報を削除してセキュリティの確保を図ることができる。また、金庫が解錠状態であることを条件に生体情報の削除処理を行うことにより、生体情報の削除の際に解錠権限を有する権限者が削除する或いは一緒にいること或いは金庫管理装置からの承認が必要になることから、想定していない者の生体情報が削除されることを確実に防止し、生体情報管理の安全性を高めることができる。
【００１２】
本発明の金庫管理方法は、前記金庫側において、入力に応じて前記金庫管理装置に非常事態情報を送信すると共に、前記金庫管理装置側において、受信した非常事態情報を報知することを特徴とする。
この構成によれば、金庫側で非常事態が発生した場合に金庫管理装置側で認識することができ、金庫のセキュリティを一層向上することができる。
【００１３】
本発明の金庫管理方法は、前記金庫側において、開閉状態を認識し、開閉の履歴を記憶すると共に、前記金庫管理装置側において、前記金庫で認識された開閉状態をリアルタイムで取得して表示可能にし、前記金庫の開閉履歴を取得して記憶することを特徴とする。
この構成によれば、金庫のリアルタイムの開閉状態の監視と、金庫の開閉履歴の探索が可能となり、金庫のセキュリティを一層向上することができると共に、不正行為が発生した場合も開閉履歴の探索で迅速に不正行為に関する情報を入手することができる。
【００１４】
また、本発明の金庫は、解錠指令に応じて所定箇所を解錠する解錠機構と、解錠権限を有する権限者の基本情報を記憶する権限者基本情報記憶部と、前記権限者の生体情報を記憶する生体情報記憶部と、解錠者の生体情報を取得する生体情報取得部と、前記生体情報取得部による生体情報の取得動作を制御する生体情報取得制御部と、記憶された生体情報と解錠者の生体情報とを照合して解錠者を権限者として認証する認証部と、解錠者が権限者として認証された場合に前記解錠機構に解錠指令を出力する解錠指令出力部を備え、通信可能に設けられる金庫管理装置から、前記解錠機構に対する解錠指令を受信可能であり、前記解錠指令出力部が、前記金庫管理装置から受信した前記解錠指令を解錠機構に出力することを特徴とする。
この構成によれば、生体情報が登録されている権限者が不在の場合や、権限者が急な退職等でいなくなり新たな権限者が決まらない場合等に、金庫管理装置から金庫の解錠機構に対する解錠指令を受信して金庫を解錠することが可能であるから、金庫利用に関連する作業や業務の流れに支障が生ずることを防止することができる。また、金庫の設置場所では生体認証による解錠以外で解錠することがないことから、生体認証による解錠のセキュリティレベルを維持することができる。
【００１５】
本発明の金庫は、解錠権限を有する権限者に対応する解錠権限箇所を記憶する権限者基本情報記憶部と、解錠者が権限者として認証された場合に、前記権限者に対応する解錠権限箇所の解錠機構に解錠指令を出力する解錠指令出力部を備え、通信可能に設けられる前記金庫管理装置から、所要箇所の前記解錠機構に対する解錠指令を受信可能であり、前記解錠指令出力部が、前記金庫管理装置から受信した所要箇所の前記解錠指令を解錠機構に出力することを特徴とする。
この構成によれば、例えば金庫扉の施錠に加え内部の収納棚等でも施錠される金庫について、権限者毎の権限に応じた解錠権限箇所の解錠を行うことができ、業務や組織に合わせた最適なセキュリティを確保することができる。また、必要な場合に、金庫管理装置から所要箇所の解錠機構に対する解錠指令を受信して金庫の所要箇所を解錠することにより、必要最小限の遠隔解錠でセキュリティをより高めることができる。
【００１６】
本発明の金庫は、金庫内部に設置される情報出力部と、金庫内部に設置される操作部と、前記操作部からの入力に応じて、前記操作部から入力された権限者の基本情報と登録許可要求を前記金庫管理装置に送信するように制御する登録許可要求処理部と、前記金庫管理装置から受信する登録許可に応じて、前記情報出力部で出力させて前記生体情報取得部に生体情報を取得させるように促し、前記生体情報取得部で取得した生体情報を前記操作部から入力された権限者と対応させて前記生体情報記憶部に記憶させる生体情報登録処理部を備えることを特徴とする。
この構成によれば、生体情報の登録に金庫管理装置からの登録許可を必要とすることにより、生体情報の登録管理を安全に行うことができる。また、情報出力部と操作部を金庫内部に設置することで、金庫が解錠状態であることを条件に生体情報の登録処理を行うことになるから、生体情報の登録の際に解錠権限を有する権限者が登録対象者を承認して一緒にいること或いは金庫管理装置からの承認があることが必要になり、想定していない者の生体情報が登録されることを確実に防止し、所要の生体情報の登録を確実に行うことができる。
【００１７】
本発明の金庫は、金庫内部に設置される情報出力部と、金庫内部に設置される操作部と、前記操作部からの削除入力に応じて、権限者基本情報記憶部と生体情報記憶部から読み出して前記情報出力部で出力される権限者の基本情報と権限者の生体情報を削除する生体情報削除処理部を備えることを特徴とする。
この構成によれば、権限者が急な退職等で部外者になった場合に、部外者の生体情報を削除してセキュリティの確保を図ることができる。また、情報出力部と操作部を金庫内部に設置することで、金庫が解錠状態であることを条件に生体情報の削除処理を行うことなることから、生体情報の削除の際に解錠権限を有する権限者が削除する或いは一緒にいること或いは金庫管理装置からの承認があることが必要になり、想定していない者の生体情報が削除されることを確実に防止し、生体情報管理の安全性を高めることができる。
【００１８】
本発明の金庫は、前記金庫の前記生体情報取得部の近辺に、前記金庫から前記金庫管理装置に非常事態情報を送信する送信入力が行われる非常入力部が設けられることを特徴とする。
この構成によれば、金庫側で非常事態が発生した場合に金庫管理装置側で認識することが可能となり、金庫のセキュリティを一層向上することができる。また、非常入力部を生体情報取得部の近辺に設けることで、非常事態情報の送信に通常の解錠動作を装うことが可能となり、非常時の解錠者の安全性を高めることができる。
【００１９】
本発明の金庫は、開閉状態を認識し、認識した開閉状態を前記金庫管理装置にリアルタイムで送信するように制御し、認識した開閉状態を記憶させる開閉状態認識処理部と、開閉状態の履歴を記憶する開閉履歴記憶部を備えることを特徴とする。
この構成によれば、金庫のリアルタイムの開閉状態の監視と、金庫の開閉履歴の探索が可能となり、金庫のセキュリティを一層向上することができると共に、不正行為が発生した場合も開閉履歴の探索で迅速に不正行為に関する情報を入手することができる。
【００２０】
また、本発明の金庫管理装置は、解錠指令に応じて所定箇所を解錠する解錠機構と、解錠権限を有する権限者の基本情報を記憶する権限者基本情報記憶部と、前記権限者の生体情報を記憶する生体情報記憶部と、解錠者の生体情報を取得する生体情報取得部と、前記生体情報取得部による生体情報の取得動作を制御する生体情報取得制御部と、記憶された生体情報と解錠者の生体情報とを照合して解錠者を権限者として認証する認証部と、解錠者が権限者として認証された場合に解錠機構に解錠指令を出力し、且つ受信した解錠指令を解錠機構に出力する解錠指令出力部とを備える金庫の一若しくは複数と通信可能に設けられる金庫管理装置であって、入力部と、前記入力部からの入力に応じて前記解錠機構に対する解錠指令を前記金庫に送信するように制御する解錠指令処理部を備えることを特徴とする。
この構成によれば、生体情報が登録されている権限者が不在の場合や、権限者が急な退職等でいなくなり新たな権限者が決まらない場合等に、金庫管理装置から金庫の解錠機構に対する解錠指令を送信して金庫を解錠することが可能であるから、金庫利用に関連する作業や業務の流れに支障が生ずることを防止することができる。また、金庫の設置場所では生体認証による解錠以外で解錠することがないことから、生体認証による解錠のセキュリティレベルを維持することができる。
【００２１】
本発明の金庫管理装置は、解錠権限を有する権限者に対応する解錠権限箇所を記憶する権限者基本情報記憶部と、解錠者が権限者として認証された場合に、前記権限者に対応する解錠権限箇所の解錠機構に解錠指令を出力し、且つ受信した所要箇所の前記解錠指令を解錠機構に出力する解錠指令出力部を備える前記金庫と通信可能であり、前記入力部からの入力に応じて所要箇所の前記解錠機構に対する解錠指令を送信するように制御する解錠指令処理部を備えることを特徴とする。
この構成によれば、例えば金庫扉の施錠に加え内部の収納棚等でも施錠される金庫について、権限者毎の権限に応じた解錠権限箇所の解錠を行うことができ、業務や組織に合わせた最適なセキュリティを確保することができる。また、必要な場合に、金庫管理装置から所要箇所の解錠機構に対する解錠指令を送信して金庫の所要箇所を解錠することにより、必要最小限の遠隔解錠でセキュリティをより高めることができる。
【００２２】
本発明の金庫管理装置は、金庫内部に設置される情報出力部と、金庫内部に設置される操作部と、前記操作部からの入力に応じて、前記操作部から入力された権限者の基本情報と登録許可要求を前記金庫管理装置に送信するように制御する登録許可要求処理部と、登録許可に応じて、前記情報出力部で出力させて前記生体情報取得部に生体情報を取得させるように促し、前記生体情報取得部で取得した生体情報を前記操作部から入力された権限者と対応させて前記生体情報記憶部に記憶させる生体情報登録処理部を備える前記金庫と通信可能であり、情報表示部と、前記金庫から受信する権限者の基本情報と登録許可要求を前記情報表示部で表示させて登録許可を促し、前記入力部からの入力に応じて登録許可を前記金庫に送信するように制御する登録許可処理部を備えることを特徴とする。
この構成によれば、生体情報の登録に金庫管理装置からの登録許可を必要とすることにより、金庫での生体情報の登録管理を安全に行うことができる。また、金庫の情報出力部と操作部が金庫内部に設置されることで、金庫が解錠状態であることを条件に生体情報の登録処理を行うことになるから、生体情報の登録の際に解錠権限を有する権限者が登録対象者を承認して一緒にいること或いは金庫管理装置からの承認が必要になり、想定していない者の生体情報が登録されることを確実に防止し、所要の生体情報の登録を確実に行うことができる。
【００２３】
本発明の金庫管理装置は、前記金庫から受信する非常事態情報を報知する報知処理部を備えることを特徴とする。
この構成によれば、金庫側で非常事態が発生した場合に金庫管理装置側で認識することができ、金庫のセキュリティを一層向上することができる。
【００２４】
本発明の金庫管理装置は、前記金庫で認識された開閉状態を前記金庫からリアルタイムで受信し、前記開閉状態を前記情報表示部で表示可能にすると共に、前記金庫から受信する開閉状態の履歴を記憶させる開閉状態処理部と、開閉状態の履歴を記憶する開閉履歴管理記憶部を備えることを特徴とする。
この構成によれば、金庫のリアルタイムの開閉状態の監視と、金庫の開閉履歴の探索が可能となり、金庫のセキュリティを一層向上することができると共に、不正行為が発生した場合も開閉履歴の探索で迅速に不正行為に関する情報を入手することができる。
【発明の効果】
【００２５】
本発明によれば、生体情報が登録されている権限者が不在の場合や、権限者が急な退職等でいなくなり新たな権限者が決まらない場合等に、金庫利用に関連する作業や業務の流れに支障が生ずることを防止できると共に、生体認証による解錠のセキュリティレベルを維持することができる。
【図面の簡単な説明】
【００２６】
【図１】実施形態の金庫管理方法を実行する基盤構成を示すブロック図。
【図２】実施形態の金庫の構成を示すブロック図。
【図３】（ａ）は実施形態の金庫の正面図、（ｂ）はその金庫の金庫扉を開けた状態の正面図。
【図４】実施形態の金庫管理方法における権限者の登録処理の手順を示すフローチャート。
【図５】実施形態の金庫管理方法における解錠処理の手順を示すフローチャート。
【図６】実施形態の金庫管理方法における権限者の削除処理の手順を示すフローチャート。
【図７】実施形態の金庫管理方法における非常時処理の手順を示すフローチャート。
【図８】実施形態の金庫管理方法における開閉状態の認識、履歴記憶の処理の手順を示すフローチャート。
【発明を実施するための形態】
【００２７】
〔実施形態の金庫管理方法、金庫及び金庫管理装置〕
本発明による実施形態の金庫管理方法は、図１に示す基盤構成において実行される。図１の基盤構成では、金庫管理装置１０と、複数の金庫２０（２０ａ、２０ｂ、２０ｃ）の各々とが、専用通信回線又はセキュリティの確保が可能な場合は一般通信回線の通信回線３０を介して通信可能に接続されている。
【００２８】
金庫管理装置１０は、記憶されている制御プログラムに従って所定の制御処理を実行するＣＰＵ等の制御処理部１１と、制御プログラムや所定のデータを記憶するＲＯＭ、ＲＡＭやハードディスク等の記憶部１２と、例えばキーボード、マウス、入力ボタン或いはタッチパネル等或いはこれらの適宜の組み合わせの入力部１３と、ディスプレイ等の情報表示部１４と、通信回線３０を介しての通信を制御する通信制御部１５を備える。
【００２９】
制御処理部１１は、入力部１３からの入力に応じて、対象となる金庫２０及びその金庫２０で解錠が必要な所要箇所の解錠機構２６を認識し、所要箇所の解錠機構２６に対する解錠指令を対象の金庫２０に送信するように制御する解錠指令処理部１１１と、対象の金庫２０から受信する権限者の基本情報と登録許可要求を認識して情報表示部１３で表示させて登録許可を促し、入力部１３からの入力に応じて登録許可を金庫に送信するように制御する登録許可処理部１１２を有する。
【００３０】
更に、制御処理部１１は、対象の金庫２０から受信する非常事態情報を認識し、非常事態であることを情報表示部１４で表示させて報知する報知処理部１１３と、金庫２０で認識された開閉状態を金庫２０からリアルタイムで受信して開閉状態を情報表示部１３で表示可能にし、表示入力に応じて開閉状態を表示すると共に、金庫２０から受信する開閉状態の履歴を開閉履歴管理記憶部１２３に記憶させる開閉状態処理部１１４を有する。
【００３１】
記憶部１２は、所定の制御処理を制御処理部１１に実行させる制御プログラムを記憶する制御プログラム記憶部１２１と、金庫管理装置１０に登録され管理されている一若しくは複数の金庫２０の例えばＩＤ、名称、ＩＰアドレス、設置場所、登録日時、更に、複数箇所の解錠機構がある金庫２０について、各箇所の解錠機構２６を特定する情報等の基本情報を記憶する登録金庫情報記憶部１２２と、登録されている金庫２０の開閉状態の履歴を記憶する開閉履歴管理記憶部１２３を有する。
【００３２】
また、各々の金庫２０は、図２に示すように、記憶されている制御プログラムに従って所定の制御処理を実行するＣＰＵ等の制御処理部２１と、制御プログラムや所定のデータを記憶するフラッシュメモリ等の記憶部２２と、テンキー、或いはタッチパネル等の操作部２３と、ディスプレイ等の情報出力部２４と、通信回線３０を介しての通信を制御する通信制御部２５と、解錠指令に応じて所定箇所を解錠する電子錠である解錠機構２６と、スキャナー等の生体情報を取得する生体情報取得部２７と、生体情報取得部２７の近辺に設けられ、金庫２０から金庫管理装置１０に非常事態情報を送信する送信入力が行われる非常入力部２８と、金庫扉２０２の開放・閉鎖の開閉状態を検出するリミットスイッチ２９を備える。
【００３３】
制御処理部２１は、生体情報取得部２７による生体情報の取得動作を制御する生体情報取得制御部２１１と、生体情報記憶部２２３に記憶された生体情報と解錠者の生体情報とを照合して解錠者を権限者として認証する認証部２１２と、解錠者が権限者として認証された場合に、権限者基本情報記憶部２２２に記憶されている当該権限者に対応する解錠権限箇所の解錠機構２６に解錠指令を出力すると共に、金庫管理装置１０から受信した所要箇所の解錠機構２６に対する解錠指令を当該箇所の解錠機構２６に出力する解錠指令出力部２１３を有する。
【００３４】
更に、制御処理部２１は、操作部２３からの入力に応じて、操作部２３から入力された権限者の基本情報と登録許可要求を金庫管理装置１０に送信するように制御する登録許可要求処理部２１４と、金庫管理装置１０から受信する登録許可に応じて、情報出力部２４で出力させて生体情報取得部２７に生体情報を取得させるように促し、生体情報取得部２７で取得した生体情報を操作部２３から入力された権限者と対応させて生体情報記憶部２２３に記憶させ、更に、操作部２３から入力された権限者の基本情報を権限者基本情報記憶部２２２に記憶させる生体情報登録処理部２１５を有する。
【００３５】
更に、制御処理部２１は、操作部２３からの入力に応じて、権限者基本情報記憶部２２２と生体情報記憶部２２３から読み出して所要情報を情報出力部２４で出力させ、削除入力に応じて、権限者の基本情報と権限者の生体情報を権限者基本情報記憶部２２２と生体情報記憶部２２３から削除する生体情報削除処理部２１６と、非常入力部２８からの入力に応じて、非常事態情報を金庫管理装置１０に送信するように制御する非常処理部２１７と、金庫２０の開閉状態を認識し、認識した開閉状態を金庫管理装置１０にリアルタイムで送信するように制御し、認識した開閉状態の履歴を開閉履歴記憶部２２４に記憶させる開閉状態認識処理部２１８を有する。
【００３６】
記憶部２２は、所定の制御処理を制御処理部２１に実行させる制御プログラムを記憶する制御プログラム記憶部２２１と、解錠権限を有する権限者の例えばＩＤ、名前、権限者に対応する解錠権限箇所、更に、必要に応じて生体情報として指静脈を登録する場合の登録指の種別などの生体情報の種別等の基本情報を記憶する権限者基本情報記憶部２２２と、指静脈、掌静脈或いは指紋等の権限者の生体情報を記憶する生体情報記憶部２２３と、開閉状態の履歴を記憶する開閉履歴記憶部２２４を有する。
【００３７】
金庫２０の操作部２３、情報出力部２４は、金庫２０の内部に設置され、金庫が解錠された状態の時に操作や出力を認識することが可能になっている。図３の例では、金庫２０の金庫本体２０１に対してヒンジ２０３を介して開閉する金庫扉２０２の内面に操作部２３と情報出力部２４が設けられており、操作部２３と情報出力部２４は金庫扉２０２が施錠された状態では金庫２０の内部に配置され、生体認証により解錠してレバー２０４を引いて金庫扉２０２を開けた状態において、情報出力部２４の視認や操作部２３による操作が可能になっている。
【００３８】
また、図３の金庫２０には、金庫本体２０１内に収納室２０６と収納室２０７が設置されており、解錠機構２６として、金庫扉２０２の解錠機構２６ａ、収納室２０６の解錠機構２６ｂ、収納室２０７の解錠機構２６ｃの３箇所が設けられている。これらの解錠機構２６ａ〜２６ｃのうち、生体認証によっていずれの解錠機構２６を解錠できるかは権限者毎に定められており、例えば権限者Ａが生体認証された場合には３つ全ての解錠機構２６ａ〜２６ｃが解錠され、権限者Ｂが生体認証された場合は解錠機構２６ａ、２６ｂの２つが解錠され、権限者Ｃが生体認証された場合は解錠機構２６ａのみが解錠される構成等となっている。
【００３９】
図３において、２０５は金庫内に配線されている電源線や信号線の配線コード、金庫内部で操作部２３の近くに配置されている２０８はＵＳＢフラッシュメモリ或いはＳＤメモリカード（登録商標）等の小型記録媒体挿入口であり、小型記録媒体挿入口２０８は小型記録媒体に新たな権限者の基本情報等を記録して制御処理部２１に入力するために使用される。また、金庫扉２０２の外面でレバー２０４の近くには、指静脈を読み取るスキャナー等の生体情報取得部２７が設けられ、生体情報取得部２７のすぐ近くにＬＥＤ内蔵ボタン等の非常入力部２８が設けられており、又、金庫扉２０２内にはリミットスイッチ２９が設けられている。尚、金庫２０は図時省略する通信線、電源線と接続されている。
【００４０】
ここで、上記基盤構成により実行する本実施形態の金庫管理方法の手順について説明する。
【００４１】
先ず、金庫管理装置１０の登録金庫情報記憶部１２２に金庫２０のＩＤ、名称、ＩＰアドレス、設置場所、複数箇所の解錠機構２６を特定する情報等の基本情報が登録されている状態において、権限者の登録処理を行う手順について説明する（図４参照）。権限者の登録処理を行う際には、初期設定で当初の権限者の生体情報の登録を行う場合（Ｓ２０１）、金庫２０の権限者となる者から金庫管理装置１０の管理者が連絡を受け、管理者が入力部１３から入力を行う。この入力に応じて、金庫管理装置１０は、解錠指令処理部１１１の制御により、所要箇所の解錠機構２６に対する解錠指令、即ち金庫扉２０２の解錠機構２６ａを解錠するための解錠指令を金庫２０に送信する（Ｓ１０１）。
【００４２】
金庫２０の解錠指令出力部２１３は、金庫管理装置１０から受信した解錠機構２６ａに対する解錠指令を解錠機構２６ａに出力し、解錠機構２６ａを解錠して金庫扉２０２を開放可能にする（Ｓ２０２）。権限者となる者は、生体情報を登録するために、解錠状態の金庫２０において金庫内部の操作部２３から権限者の基本情報（解錠権限を有する権限者のＩＤ、名前、解錠権限箇所等）と登録許可要求を入力し、登録許可要求処理部２１４の制御により、権限者の基本情報と登録許可要求を金庫管理装置１０に送信する（Ｓ２０３）。即ち、金庫２０が解錠状態であることを条件に、権限者の基本情報と登録許可要求を金庫管理装置１０に送信可能になっている。
【００４３】
金庫管理装置１０は、登録許可処理部１１２の制御により、金庫から受信する権限者の基本情報と登録許可要求を情報表示部１４で表示して管理者に登録許可を促し、管理者の入力部１３からの許可入力に応じて登録許可を金庫２０に送信する（Ｓ１０２）。
【００４４】
金庫２０は、生体情報登録処理部２１５、生体情報取得制御部２１１の制御により、金庫管理装置１０から受信する登録許可に応じて、権限者に出力して生体情報を取得させるように促し、指静脈をスキャンする等により生体情報取得部２７で生体情報を取得させ、取得した生体情報を入力された権限者と対応させて生体情報記憶部２２３に記憶させると共に、入力された権限者の基本情報（解錠権限を有する権限者のＩＤ、名前、解錠権限箇所等）を権限者基本情報記憶部２２２に記憶させる（Ｓ２０４）。
【００４５】
既に当初の権限者の生体情報の登録が行われており、別の権限者の生体情報の登録を行う場合には、既登録の権限者の後述する生体認証により（Ｓ２０５）、権限者基本情報記憶部２２２に記憶されている当該権限者に対応する解錠権限箇所の解錠機構２６（金庫扉２０２の解錠機構２６ａを含む）に解錠指令を出力し、解錠機構２６ａの解錠で金庫扉２０２を開放可能にする（Ｓ２０２）。その後は上述のＳ２０２、Ｓ１０３、Ｓ２０３と同様の手順で別の権限者の登録処理を行う。
【００４６】
次に、生体認証による解錠指令及び金庫管理装置１０から送信される解錠指令に基づく解錠機構２６の解錠の手順について説明する。生体認証による解錠の際には、解錠権限を有する権限者の基本情報と生体情報が金庫２０の権限者基本情報記憶部２２２と生体情報記憶部２２３に記憶されている状態において、図５に示すように、金庫２０は、生体情報取得制御部２１１の制御により、生体情報取得部２７で解錠者の指静脈等の生体情報を取得する（Ｓ２１１）。
【００４７】
そして、金庫２０は、認証部２１２により、生体情報記憶部２２３に記憶されている生体情報と解錠者の生体情報とを照合して解錠者を権限者として認証し（Ｓ２１２）、解錠者が権限者として認証された場合に、解錠指令出力部２１３により、権限者基本情報記憶部２２２に記憶されている当該権限者に対応する解錠権限箇所の解錠機構２６に解錠指令を出力する（Ｓ２１３）。解錠権限箇所に対応する電子錠の解錠機構２６は、入力される解錠指令に応じて解錠を行う（Ｓ２１４）。他方において、解錠者が生体情報の照合で権限者として認証されなかった場合には、解錠せずに終了する。尚、対象の金庫２０の解錠機構２６が金庫扉２０２の１箇所だけの場合には、いずれの権限者の場合にも当該箇所の解錠機構２６に対する解錠指令の出力、解錠が行われる。
【００４８】
また、権限者が不在時或いは退職等で権限者がいない等に金庫管理装置１０からの解錠指令の送信によって金庫２０の解錠を行う場合、金庫２０側で所要箇所の解錠機構２６の解錠を求めている者から連絡を受けた金庫管理装置１０側の管理者は、入力部１３から入力を行う。金庫管理装置１０は、解錠指令処理部１１１の制御により、入力部１３からの入力に応じて、対象となる金庫２０及びその金庫２０で解錠が必要な所要箇所の解錠機構２６を認識し、所要箇所の解錠機構２６に対する解錠指令を対象の金庫２０に送信する（Ｓ１１１）。
【００４９】
金庫２０で解錠が必要な所要箇所の解錠機構２６の認識は、例えば登録金庫情報記憶部１２２に登録記憶されている金庫２０の各箇所の解錠機構２６を特定する情報（例えば解錠機構２６ａ、２６ｂ、２６ｃのＩＤや名称等）の中から所要箇所の解錠機構２６を特定する情報（例えば解錠機構２６ａのＩＤや名称等）を選択入力し、この選択入力を解錠指令処理部１１１が認識する等により行われる。尚、対象の金庫２０の解錠機構２６が金庫扉２０２の１箇所だけの場合には、登録金庫情報記憶部１２２から対象の金庫２０の解錠機構２６を認識し、この解錠機構２６に対する解錠指令を対象の金庫２０に送信する。
【００５０】
金庫２０では、解錠指令出力部２１３により、金庫管理装置１０から受信した所要箇所の解錠機構２６に対する解錠指令を当該箇所の解錠機構２６に出力し、或いは解錠機構２６が１箇所の場合の当該箇所に対する解錠指令を当該箇所の解錠機構２６に出力する（Ｓ２１３）。電子錠の解錠機構２６は、入力される解錠指令に応じて解錠を行う（Ｓ２１４）。
【００５１】
次に、金庫２０で登録されている権限者の生体情報を削除する手順について説明する。権限者の生体情報を削除する場合も、権限者の生体情報を登録する場合と同様に、金庫２０が解錠状態であることを条件に削除可能になっている。
【００５２】
即ち、図６に示すように、上記解錠機構２６の解錠手順によって生体認証による解錠指令或いは金庫管理装置１０から送信される解錠指令に基づき解錠機構２６を解錠した後（Ｓ２１１〜Ｓ２１４、Ｓ１１１）、金庫内部の操作部２３からの入力に応じて、金庫２０の生体情報削除処理部２１６は、権限者基本情報記憶部２２２と生体情報記憶部２２３から該当する権限者の基本情報と生体情報を読み出して情報出力部２４で所要情報を出力し、削除入力に応じて、該当する権限者の基本情報と権限者の生体情報を権限者基本情報記憶部２２２と生体情報記憶部２２３から削除する（Ｓ２２１）。
【００５３】
次に、非常時に金庫管理装置１０と金庫２０で行われる非常時処理の手順について説明する。金庫２０側で非常事態が発生し、例えば権限者が金庫２０の解錠を強要されている場合、図７に示すように、権限者は、生体情報取得部２７による生体認証の解錠操作をよそおい、金庫１０の生体情報取得部２７の近辺に設けられている非常入力部２８から入力を行い、金庫２０は、非常処理部２１７の制御により、金庫管理装置１０に非常事態情報を送信する（Ｓ２３１）。
【００５４】
金庫管理装置１０は、報知処理部１１３の制御により、対象の金庫２０から受信する非常事態情報を認識し、非常事態であることを情報表示部１４で表示させて報知する（Ｓ１３１）。金庫管理装置１０の管理者は、非常事態を認知することにより、警察或いは警備会社への連絡等の必要な対策を講ずる。尚、報知処理部１１３において、金庫２０から受信する非常事態情報を認識した場合には、警備会社等に非常事態情報を送信するように制御し、より迅速な対応が可能なようにしてもよい。
【００５５】
次に、金庫管理装置１０と金庫２０の開閉状態の認識、履歴記憶の処理の手順について説明する。金庫２０の開閉状態を認識する際には、図８に示すように、金庫２０の金庫扉２０２が開放されたときにリミットスイッチ２９が金庫扉２０２の開放を検出し、金庫２０の開閉状態認識処理部２１８は、この検出から金庫２０の開状態を認識する（Ｓ２４１）。更に、認識した開状態を金庫管理装置１０にリアルタイムで送信するように制御し、金庫２０から金庫管理装置１０に開状態の情報がリアルタイムで送信される（Ｓ２４２）。また、開閉状態認識処理部２１８は、開状態を認識した時刻を開閉状態の履歴として開閉履歴記憶部２２４に記憶させる（Ｓ２４３）。
【００５６】
他方において、金庫管理装置１０は、開閉状態処理部１１４により、金庫２０で認識された開状態を金庫２０からリアルタイムで受信して開状態を情報表示部１３で表示可能にし、入力部１３からの表示入力に応じて金庫２０が開状態であることを表示する（Ｓ１４１）。更に、開状態を認識した時刻を取得して開閉状態の履歴として開閉履歴管理記憶部１２３に記憶させる（Ｓ１４２）。
【００５７】
その後、金庫２０では、金庫２０の金庫扉２０２が閉じられたときにリミットスイッチ２９が金庫扉２０２の閉鎖を検出し、開閉状態認識処理部２１８は、この検出から金庫２０の閉状態を認識する（Ｓ２４４）。更に、認識した閉状態を金庫管理装置１０にリアルタイムで送信するように制御し、金庫２０から金庫管理装置１０に閉状態の情報がリアルタイムで送信される（Ｓ２４５）。また、開閉状態認識処理部２１８は、閉状態を認識した時刻を開閉状態の履歴として開閉履歴記憶部２２４に記憶させる（Ｓ２４６）。
【００５８】
他方において、金庫管理装置１０は、開閉状態処理部１１４により、金庫２０で認識された閉状態を金庫２０からリアルタイムで受信して閉状態を情報表示部１３で表示可能にし、入力部１３からの表示入力に応じて金庫２０が閉状態であることを表示する（Ｓ１４３）。更に、閉状態を認識した時刻を取得して開閉状態の履歴として開閉履歴管理記憶部１２３に記憶させる（Ｓ１４４）。
【００５９】
上記実施形態の金庫管理方法、金庫２０或いは金庫管理装置１０によれば、生体情報が登録されている権限者が不在の場合や、コンビニエンスストアやファミリーレストラン等において権限者が急な退職等でいなくなり新たな権限者が決まらない場合等に、金庫管理装置１０から金庫２０の解錠機構２６に対する解錠指令を送信して金庫２０を解錠することが可能であるから、金庫利用に関連する作業や業務の流れに支障が生ずることを防止することができる。また、金庫２０の設置場所では生体認証による解錠以外で解錠することがないことから、生体認証による解錠のセキュリティレベルを維持することができる。
【００６０】
また、金庫扉２０２の施錠に加え内部の収納室２０６、２０７でも施錠される金庫２０について、権限者毎の権限に応じた解錠権限箇所の解錠を行うことができ、業務や組織に合わせた最適なセキュリティを確保することができる。また、必要な場合に、金庫管理装置１０から所要箇所の解錠機構２６に対する解錠指令を送信して金庫２０の所要箇所を解錠することにより、必要最小限の遠隔解錠でセキュリティをより高めることができる。
【００６１】
また、生体情報の登録に金庫管理装置１０からの登録許可を必要とすることにより、生体情報の登録管理を安全に行うことができる。また、金庫２０が解錠状態であることを条件に生体情報の登録処理を行うことにより、生体情報の登録の際に解錠権限を有する権限者が登録対象者を承認して一緒にいること或いは金庫管理装置１０からの承認が必要になることから、想定していない者の生体情報が登録されることを確実に防止し、所要の生体情報の登録を確実に行うことができる。
【００６２】
また、権限者の生体情報を削除する処理により、権限者が急な退職等で部外者になった場合に、部外者の生体情報を削除してセキュリティの確保を図ることができる。また、金庫２０が解錠状態であることを条件に生体情報の削除処理を行うことにより、生体情報の削除の際に解錠権限を有する権限者が削除する或いは一緒にいること或いは金庫管理装置１０からの承認が必要になることから、想定していない者の生体情報が削除されることを確実に防止し、生体情報管理の安全性を高めることができる。
【００６３】
また、非常事態情報の金庫２０から金庫管理装置１０への送信により、金庫２０側で非常事態が発生した場合に金庫管理装置１０側で認識することができ、金庫２０のセキュリティを一層向上することができる。また、金庫２０のリアルタイムの開閉状態の監視と、金庫２０の開閉履歴の探索が可能となり、金庫２０のセキュリティを一層向上することができると共に、不正行為が発生した場合も開閉履歴の探索で迅速に不正行為に関する情報を入手することができる。
【００６４】
〔実施形態の変形例等〕
本明細書開示の発明は、各発明、実施形態の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものであり、下記変形例も包含する。
【００６５】
例えば上記実施形態では、金庫２０の金庫扉２０２の開閉をリミットスイッチ２９で検出する構成としたが、収納室２０６、２０７の扉や引き出しの開放・閉鎖の開閉状態を検出するようにリミットスイッチ２９を設け、金庫扉２０２、収納室２０６、２０７の開閉状態を金庫２０と金庫管理装置１０で認識、記憶するようにすることも可能である。また、リミットスイッチ２９を金庫扉２０２の解錠機構２６、或いは金庫扉２０２と収納室２０６、２０７の解錠機構２６の近傍に設けて、解錠機構２６の施解錠を検出して開閉状態を検出することも可能である。即ち、本発明における開閉状態は、金庫扉２０２、収納室２０６、２０７の扉や引き出しが開放、閉じられている状態と、金庫扉２０２、収納室２０６、２０７が施錠、解錠されている状態の双方を含むものである。
【００６６】
また、権限者の基本情報としてＩＤに対応するパスワードを記憶し、金庫扉２０２の外表面等に設けられる入力部から入力されるＩＤ、パスワードの照合による認証を生体認証に合わせて行って解錠するようにしてもよく、又、登録許可要求の送信の際に操作部２３から入力されるＩＤ、パスワードを記憶するＩＤ、パスワードと照合して認証するようにしてもよい。
【００６７】
また、生体情報取得部２７は、生体情報の種類に応じて適宜のものを用いることが可能であり、例えば指静脈、指紋、掌静脈の場合はスキャナー、虹彩の場合はカメラ、声紋の場合はマイクロフォン等とすることが可能であり、更に、複数の生体情報を用いる場合にはこれらの適宜の組み合わせとすることが可能である。
【００６８】
また、例えば指静脈を生体情報とする場合、左右の手のいずれの指の指静脈を登録するか選択可能にし、権限者の基本情報として左右の手のいずれの指かを特定する番号等を記憶させ、その指の指静脈を登録記憶するようにしてもよい。更に、複数の指の指静脈、好ましくは左手の何れかの指の指静脈と右手の何れかの指の指静脈を登録記憶し、これらの複数の指の指静脈を照合して認証するようにすると、セキュリティを一層向上することが可能となる。
【００６９】
また、本発明における金庫には、現金や重要書類等の貴重品を盗難から安全に守るための適宜の箱や室が含まれ、例えば貴重品を盗難と火災から守る耐火金庫の他、耐火性を有さず貴重品を盗難から守る鉄庫や、貴重品を盗難から守る各種の保管庫或いは保管室等が含まれる。
【産業上の利用可能性】
【００７０】
本発明は、例えばコンビニエンスストア、ファミリーレストラン等の店舗、事業所、支店、支部等に設置した金庫を統括する本社、本店、本部等に設置した金庫管理装置で管理する場合に利用することができる。
【符号の説明】
【００７１】
１０…金庫管理装置  １１…制御処理部  １１１…解錠指令処理部  １１２…登録許可処理部  １１３…報知処理部  １１４…開閉状態処理部  １２…記憶部  １２１…制御プログラム記憶部  １２２…登録金庫情報記憶部  １２３…開閉履歴管理記憶部  １３…入力部  １４…情報表示部  １５…通信制御部  ２０、２０ａ、２０ｂ、２０ｃ…金庫  ２１…制御処理部  ２１１…生体情報取得制御部  ２１２…認証部  ２１３…解錠指令出力部  ２１４…登録許可要求処理部  ２１５…生体情報登録処理部  ２１６…生体情報削除処理部  ２１７…非常処理部  ２１８…開閉状態認識処理部  ２２…記憶部  ２２１…制御プログラム記憶部  ２２２…権限者基本情報記憶部  ２２３…生体情報記憶部  ２２４…開閉履歴記憶部  ２３…操作部  ２４…情報出力部  ２５…通信制御部  ２６、２６ａ、２６ｂ、２６ｃ…解錠機構  ２７…生体情報取得部  ２８…非常入力部  ２９…リミットスイッチ  ２０１…金庫本体  ２０２…金庫扉  ２０３…ヒンジ  ２０４…レバー  ２０５…配線コード  ２０６、２０７…収納室  ２０８…小型記録媒体挿入口  ３０…通信回線
【図１】
2014211030.tif 000003
【図２】
2014211030.tif 000004
【図３】
2014211030.tif 000005
【図４】
2014211030.tif 000006
【図５】
2014211030.tif 000007
【図６】
2014211030.tif 000008
【図７】
2014211030.tif 000009
【図８】
2014211030.tif 000010